(57)【要約】      （修正有）【課題】側壁から連設された延長部が隣接する側壁に固着されたトレー型の包装用容器において、固着された延長部を容易に剥がすことができ、かつ、使用者に解体のための機能を知らしめ解体の機会を十分与えることができる包装用容器を提供する。【解決手段】包装箱５は、糊代部２２から連設されたつまみ片２６と、糊代部２４から連設されたつまみ片２８と、糊代部３２から連設されたつまみ片３６と、糊代部３４から連設されたつまみ片３８とを設ける。つまみ片３６、３８の長さＰ３、Ｐ４がフラップ部４２、５２の幅Ｑ１、Ｑ２よりも大きいので、糊代部２２、３２が左側面部４０に接着され、糊代部２４、３４が右側面部５０に接着された状態で、フラップ部４２、５２を内側に折り曲げると、つまみ片３６、３８がフラップ部４２、５２から突出する。つまみ片２６，２８，３６，３８を引っぱることにより糊代部２２，２４，３２，３４を剥がすことができる。【選択図】図３
0003166241.tif 000002
【実用新案登録請求の範囲】
【請求項１】
包装箱であって、
方形状の底面部と、
底面部の正面側の辺部から折れ線を介して連設された正面部と、
底面部の背面側の辺部から折れ線を介して連設された背面部と、
底面部の左側面側の辺部から折れ線を介して連設された左側面部と、
底面部の右側面側の辺部から折れ線を介して連設された右側面部と、
左側面部の上辺から折れ線を介して連設された第１フラップ部と、
右側面部の上辺から折れ線を介して連設された第２フラップ部と、
正面部の左側面側の辺部から折れ線を介して連設され、左側面部の内側の面に接着された第１糊代部と、
正面部の右側面側の辺部から折れ線を介して連設され、右側面部の内側の面に接着された第２糊代部と、
背面部の左側面側の辺部から折れ線を介して連設され、左側面部の内側の面に接着された第３糊代部と、
背面部の右側面側の辺部から折れ線を介して連設され、右側面部の内側の面に接着された第４糊代部と、
第１糊代部の上辺から折れ線を介して連設された第１つまみ片と、
第２糊代部の上辺から折れ線を介して連設された第２つまみ片と、
第３糊代部の上辺から折れ線を介して連設された第３つまみ片と、
第４糊代部の上辺から折れ線を介して連設された第４つまみ片と、
背面部の上辺から折れ線を介して連設された蓋部と、
を有し、
第１つまみ片と第３つまみ片の少なくともいずれかである第１特定つまみ片において、糊代部側の端部とその反対側の端部間の長さが、第１フラップ部の左側面部側の辺部と該左側面部側の辺部と反対側の辺部間の幅よりも大きく形成されて、該第１特定つまみ片が第１フラップ部の先端から突出し、
第２つまみ片と第４つまみ片の少なくともいずれかである第２特定つまみ片において、糊代部側の端部とその反対側の端部間の長さが、第２フラップ部の右側面部側の辺部と該右側面部側の辺部と反対側の辺部間の幅よりも大きく形成されて、該第２特定つまみ片が第２フラップ部の先端から突出して形成され、
包装箱が１枚のシート状のブランクにより形成されていることを特徴とする包装箱。
【請求項２】
包装箱に被収納物を収納する前の状態において、蓋部が背面部の上辺から立設し、第１フラップ部が左側面部の上辺から立設し、第２フラップ部が右側面部の上辺から立設し、第１つまみ片が第１糊代部の上辺から立設し、第２つまみ片が第２糊代部の上辺から立設し、第３つまみ片が第３糊代部の上辺から立設し、第４つまみ片が第４糊代部の上辺から立設していることを特徴とする請求項１に記載の包装箱。
【請求項３】
第１つまみ片と第３つまみ片において、第３つまみ片が第１特定つまみ片であり、第２つまみ片と第４つまみ片において、第４つまみ片が第２特定つまみ片であることを特徴とする請求項１又は２に記載の包装箱。
【請求項４】
第１つまみ片と第３つまみ片の両方が第１特定つまみ片であり、第２つまみ片と第４つまみ片の両方が第２特定つまみ片であることを特徴とする請求項１又は２に記載の包装箱。
【請求項５】
正面部と背面部と左側面部と右側面部とが台形形状を呈し、正面部と背面部と左側面部と右側面部とにおいて、下辺よりも上辺が長く形成されていることを特徴とする請求項１又は２又は３又は４に記載の包装箱。
【請求項６】
上記蓋部が、背面部の上辺から折れ線を介して連設された上面部と、上面部の背面部側とは反対側の端部から連設された差込み片部とを有し、蓋部を閉状態にする場合には、差込み片部を正面部の内側に接するように差し込むことを特徴とする請求項１又は２又は３又は４又は５に記載の包装箱。
【請求項７】
包装箱であって、
方形状の底面部と、
底面部の正面側の辺部から折れ線を介して連設された正面部と、
底面部の背面側の辺部から折れ線を介して連設された背面部と、
底面部の左側面側の辺部から折れ線を介して連設された左側面部と、
底面部の右側面側の辺部から折れ線を介して連設された右側面部と、
左側面部の上辺から折れ線を介して連設された第１フラップ部と、
右側面部の上辺から折れ線を介して連設された第２フラップ部と、
正面部の左側面側の辺部から折れ線を介して連設され、左側面部の内側の面に接着された第１糊代部と、
正面部の右側面側の辺部から折れ線を介して連設され、右側面部の内側の面に接着された第２糊代部と、
背面部の左側面側の辺部から折れ線を介して連設され、左側面部の内側の面に接着された第３糊代部と、
背面部の右側面側の辺部から折れ線を介して連設され、右側面部の内側の面に接着された第４糊代部と、
第１糊代部の上辺から折れ線を介して連設された第１つまみ片と、
第２糊代部の上辺から折れ線を介して連設された第２つまみ片と、
第３糊代部の上辺から折れ線を介して連設された第３つまみ片と、
第４糊代部の上辺から折れ線を介して連設された第４つまみ片と、
背面部の上辺から折れ線を介して連設された上面部と、上面部の背面部側とは反対側の端部から連設され、蓋部を閉状態にする場合に、正面部の内側に接するように差し込む差込み片部とからなる蓋部と、
を有し、
第３つまみ片において、糊代部側の端部とその反対側の端部間の長さが、第１フラップ部の左側面部側の辺部と該左側面部側の辺部と反対側の辺部間の幅よりも大きく形成されて、第３つまみ片が第１フラップ部の先端から突出し、
第４つまみ片において、糊代部側の端部とその反対側の端部間の長さが、第２フラップ部の右側面部側の辺部と該右側面部側の辺部と反対側の辺部間の幅よりも大きく形成されて、第４つまみ片が第２フラップ部の先端から突出して形成され、
正面部と背面部と左側面部と右側面部とが台形形状を呈し、正面部と背面部と左側面部と右側面部とにおいて、下辺よりも上辺が長く形成され、包装箱に被収納物を収納する前の状態において、上面部が背面部の上辺から立設し、第１フラップ部が左側面部の上辺から立設し、第２フラップ部が右側面部の上辺から立設し、第１つまみ片が第１糊代部の上辺から立設し、第２つまみ片が第２糊代部の上辺から立設し、第３つまみ片が第３糊代部の上辺から立設し、第４つまみ片が第４糊代部の上辺から立設し、包装箱が１枚のシート状のブランクにより形成されていることを特徴とする包装箱。
【考案の詳細な説明】
【技術分野】
【０００１】
本考案は、包装用容器に関するものであり、特に、トレー型の包装箱に関するものである。
【背景技術】
【０００２】
従来より、トレー型の包装用容器としては、特許文献１の紙トレーのように、底部と、底部から折り立てた長辺側及び短辺側の各一対の側壁と、長辺側の各側壁の両側の延長部を折り返して隣接する短辺側の側壁の外面に糊付けしたものが存在する。
【０００３】
また、特許文献２には、化粧函において、底部の相対する辺部から形成された側壁部と、各側壁部から壁方向の両側へ延在するフラップと、各フラップから延在するつまみとを有するものが開示されている。
【先行技術文献】
【特許文献】
【０００４】
【特許文献１】特開２００３−９５３４４号公報
【特許文献２】特開２００７−３０９５７号
【考案の概要】
【考案が解決しようとする課題】
【０００５】
しかし、特許文献１のトレー型の包装用容器においては、長辺側の各側壁の両側の延長部を折り返して隣接する短辺側の側壁の外面に糊付けされているので、糊付けされた箇所を剥がして該トレー型の包装用容器を解体するのが困難であった。特に、高齢者等のように手の力が弱い者は糊付けされた箇所を剥がして該トレー型の包装用容器を解体するのが困難であるという問題があった。
【０００６】
また、特許文献２の化粧函においては、つまみを引くことによりフラップを側壁部から剥がすことができるものの、つまみがフラップの横方向に形成されていて、側壁部の内側に隠れた状態となっているので、つまみの存在を発見しにくく、つまみという解体のための機能を知らしめることが困難で、つまみを使用して解体する機会を失うおそれがあった。
【０００７】
そこで、側壁から連設された延長部が隣接する側壁に固着されたトレー型の包装用容器において、固着された延長部を容易に剥がすことができ、かつ、使用者に解体のための機能を知らしめ解体の機会を十分与えることができる包装用容器を提供することである。
【課題を解決するための手段】
【０００８】
本考案は上記問題点を解決するために創作されたものであって、第１には、包装箱であって、方形状の底面部と、底面部の正面側の辺部から折れ線を介して連設された正面部と、底面部の背面側の辺部から折れ線を介して連設された背面部と、底面部の左側面側の辺部から折れ線を介して連設された左側面部と、底面部の右側面側の辺部から折れ線を介して連設された右側面部と、左側面部の上辺から折れ線を介して連設された第１フラップ部と、右側面部の上辺から折れ線を介して連設された第２フラップ部と、正面部の左側面側の辺部から折れ線を介して連設され、左側面部の内側の面に接着された第１糊代部と、正面部の右側面側の辺部から折れ線を介して連設され、右側面部の内側の面に接着された第２糊代部と、背面部の左側面側の辺部から折れ線を介して連設され、左側面部の内側の面に接着された第３糊代部と、背面部の右側面側の辺部から折れ線を介して連設され、右側面部の内側の面に接着された第４糊代部と、第１糊代部の上辺から折れ線を介して連設された第１つまみ片と、第２糊代部の上辺から折れ線を介して連設された第２つまみ片と、第３糊代部の上辺から折れ線を介して連設された第３つまみ片と、第４糊代部の上辺から折れ線を介して連設された第４つまみ片と、背面部の上辺から折れ線を介して連設された蓋部と、を有し、第１つまみ片と第３つまみ片の少なくともいずれかである第１特定つまみ片において、糊代部側の端部とその反対側の端部間の長さが、第１フラップ部の左側面部側の辺部と該左側面部側の辺部と反対側の辺部間の幅よりも大きく形成されて、該第１特定つまみ片が第１フラップ部の先端から突出し、第２つまみ片と第４つまみ片の少なくともいずれかである第２特定つまみ片において、糊代部側の端部とその反対側の端部間の長さが、第２フラップ部の右側面部側の辺部と該右側面部側の辺部と反対側の辺部間の幅よりも大きく形成されて、該第２特定つまみ片が第２フラップ部の先端から突出して形成され、包装箱が１枚のシート状のブランクにより形成されていることを特徴とする。
【０００９】
この第１の構成の包装箱においては、第１つまみ片〜第４つまみ片が設けられ、第１つまみ片〜第４つまみ片を引っぱることにより容易に第１糊代部〜第４糊代部を剥がすことができるので、高齢者のように手の力が弱い者でも容易に糊代部を剥がすことができる。また、第１つまみ片〜第４つまみ片と第１フラップ部と第２フラップ部が内側に折り曲げられた状態でも、第１特定つまみ片が第１フラップ部の先端から突出するとともに、第２特定つまみ片が第２フラップ部の先端から突出しているので、第１特定つまみ片と第２特定つまみ片を発見しやすく、使用者に解体のための機能を知らしめ解体の機会を十分与えることができる。
【００１０】
また、第２には、上記第１の構成において、包装箱に被収納物を収納する前の状態において、蓋部が背面部の上辺から立設し、第１フラップ部が左側面部の上辺から立設し、第２フラップ部が右側面部の上辺から立設し、第１つまみ片が第１糊代部の上辺から立設し、第２つまみ片が第２糊代部の上辺から立設し、第３つまみ片が第３糊代部の上辺から立設し、第４つまみ片が第４糊代部の上辺から立設していることを特徴とする。よって、第１フラップ部と、第２フラップ部と、第１つまみ片〜第４つまみ片が立設しているので、被収納物を収納する際にこれらが邪魔になることがない。
【００１１】
また、第３には、上記第１又は第２の構成において、第１つまみ片と第３つまみ片において、第３つまみ片が第１特定つまみ片であり、第２つまみ片と第４つまみ片において、第４つまみ片が第２特定つまみ片であることを特徴とする。
【００１２】
また、第４には、上記第１又は第２の構成において、第１つまみ片と第３つまみ片の両方が第１特定つまみ片であり、第２つまみ片と第４つまみ片の両方が第２特定つまみ片であることを特徴とする。よって、４つのつまみ片があることを容易に知らしめることができる。
【００１３】
また、第５には、上記第１から第４までのいずれかの構成において、正面部と背面部と左側面部と右側面部とが台形形状を呈し、正面部と背面部と左側面部と右側面部とにおいて、下辺よりも上辺が長く形成されていることを特徴とする。よって、トレー状の包装箱においても、解体を容易とすることができる。
【００１４】
また、第６には、上記第１から第５までのいずれかの構成において、上記蓋部が、背面部の上辺から折れ線を介して連設された上面部と、上面部の背面部側とは反対側の端部から連設された差込み片部とを有し、蓋部を閉状態にする場合には、差込み片部を正面部の内側に接するように差し込むことを特徴とする。
【００１５】
また、第７には、包装箱であって、方形状の底面部と、底面部の正面側の辺部から折れ線を介して連設された正面部と、底面部の背面側の辺部から折れ線を介して連設された背面部と、底面部の左側面側の辺部から折れ線を介して連設された左側面部と、底面部の右側面側の辺部から折れ線を介して連設された右側面部と、左側面部の上辺から折れ線を介して連設された第１フラップ部と、右側面部の上辺から折れ線を介して連設された第２フラップ部と、正面部の左側面側の辺部から折れ線を介して連設され、左側面部の内側の面に接着された第１糊代部と、正面部の右側面側の辺部から折れ線を介して連設され、右側面部の内側の面に接着された第２糊代部と、背面部の左側面側の辺部から折れ線を介して連設され、左側面部の内側の面に接着された第３糊代部と、背面部の右側面側の辺部から折れ線を介して連設され、右側面部の内側の面に接着された第４糊代部と、第１糊代部の上辺から折れ線を介して連設された第１つまみ片と、第２糊代部の上辺から折れ線を介して連設された第２つまみ片と、第３糊代部の上辺から折れ線を介して連設された第３つまみ片と、第４糊代部の上辺から折れ線を介して連設された第４つまみ片と、背面部の上辺から折れ線を介して連設された上面部と、上面部の背面部側とは反対側の端部から連設され、蓋部を閉状態にする場合に、正面部の内側に接するように差し込む差込み片部とからなる蓋部と、を有し、第３つまみ片において、糊代部側の端部とその反対側の端部間の長さが、第１フラップ部の左側面部側の辺部と該左側面部側の辺部と反対側の辺部間の幅よりも大きく形成されて、第３つまみ片が第１フラップ部の先端から突出し、第４つまみ片において、糊代部側の端部とその反対側の端部間の長さが、第２フラップ部の右側面部側の辺部と該右側面部側の辺部と反対側の辺部間の幅よりも大きく形成されて、第４つまみ片が第２フラップ部の先端から突出して形成され、正面部と背面部と左側面部と右側面部とが台形形状を呈し、正面部と背面部と左側面部と右側面部とにおいて、下辺よりも上辺が長く形成され、包装箱に被収納物を収納する前の状態において、上面部が背面部の上辺から立設し、第１フラップ部が左側面部の上辺から立設し、第２フラップ部が右側面部の上辺から立設し、第１つまみ片が第１糊代部の上辺から立設し、第２つまみ片が第２糊代部の上辺から立設し、第３つまみ片が第３糊代部の上辺から立設し、第４つまみ片が第４糊代部の上辺から立設し、包装箱が１枚のシート状のブランクにより形成されていることを特徴とする。
【００１６】
この第７の構成の包装箱においては、第１つまみ片〜第４つまみ片が設けられ、第１つまみ片〜第４つまみ片を引っぱることにより容易に第１糊代部〜第４糊代部を剥がすことができるので、高齢者のように手の力が弱い者でも容易に糊代部を剥がすことができる。また、第１つまみ片〜第４つまみ片と第１フラップ部と第２フラップ部が内側に折り曲げられた状態でも、第３つまみ片が第１フラップ部の先端から突出するとともに、第４つまみ片が第２フラップ部の先端から突出しているので、第３つまみ片と第４つまみ片を発見しやすく、使用者に解体のための機能を知らしめ解体の機会を十分与えることができる。また、第１フラップ部と、第２フラップ部と、第１つまみ片〜第４つまみ片が立設しているので、被収納物を収納する際にこれらが邪魔になることがない。
【考案の効果】
【００１７】
本考案に基づく包装箱によれば、第１つまみ片〜第４つまみ片が設けられ、第１つまみ片〜第４つまみ片を引っぱることにより容易に第１糊代部〜第４糊代部を剥がすことができるので、高齢者のように手の力が弱い者でも容易に糊代部を剥がすことができる。また、第１つまみ片〜第４つまみ片と第１フラップ部と第２フラップ部が内側に折り曲げられた状態でも、第１特定つまみ片（例えば、第３つまみ片）が第１フラップ部の先端から突出するとともに、第２特定つまみ片（例えば、第４つまみ片）が第２フラップ部の先端から突出しているので、第１特定つまみ片と第２特定つまみ片を発見しやすく、使用者に解体のための機能を知らしめ解体の機会を十分与えることができる。
【図面の簡単な説明】
【００１８】
【図１】包装箱の被収納物を収納する前の状態を示す右側面側からの前方斜視図である。
【図２】包装箱における被収納物を収納する前の状態を示す左側面側からの前方斜視図である。
【図３】包装箱の展開図である。
【図４】包装箱の蓋部を閉じた状態を示す右側面側からの前方斜視図である。
【図５】フラップ部を内側に折り曲げた状態を示す右側面側からの前方斜視図である。
【図６】図４の状態からフラップ部を立設させた状態を示す右側面側からの前方斜視図である。
【考案を実施するための形態】
【００１９】
本考案においては、側壁から連設された延長部が隣接する側壁に固着されたトレー型の包装用容器（例えば、包装箱）において、固着された延長部を容易に剥がすことができ、かつ、使用者に解体のための機能を知らしめ解体の機会を十分与えることができる包装用容器を提供するという目的を以下のようにして実現した。
【００２０】
本考案の包装箱５は、図１〜図３に示すように構成され、底面部１０と、底面部１０の正面側の辺部から折れ線を介して連設された正面部２０と、正面部２０の両側の辺部から連設された糊代部２２、２４と、糊代部２２の上辺から折れ線を介して連設されされたつまみ片２６と、糊代部２４の上辺から折れ線を介して連設されたつまみ片２８と、底面部１０の背面側の辺部から折れ線を介して連設された背面部３０と、背面部３０の両側の辺部から連設された糊代部３２、３４と、糊代部３２の上辺から折れ線を介して連設されたつまみ片３６と、糊代部３４の上辺から折れ線を介して連設されたつまみ片３８と、底面部１０の左側面側の辺部から折れ線を介して連設された左側面部４０と、左側面部４０と上辺から折れ線を介して連設されたフラップ部４２と、底面部１０の右側面側の辺部から折れ線を介して連設された右側面部５０と、右側面部５０の上辺から折れ線を介して連設されたフラップ部５２と、背面部３０の上辺から折れ線を介して連設された上面部６０と、上面部６０の背面部３０とは反対側の辺部から折れ線を介して連設された差込み片部６２とを有している。正面部２０と背面部３０と左側面部４０と右側面部５０は、包装箱５の側壁を形成している。また、上面部６０と差込み片部６２は蓋部６４を構成する。
【００２１】
包装箱５は、１枚のシート状のブランク（具体的には、段ボール製（例えば、薄型段ボール製）のブランク）により形成されている。
【００２２】
ここで、底面部１０は、方形状（具体的には、長方形状）を呈し、正面部２０と背面部３０とは、底面部１０の長辺から連設され、左側面部４０と右側面部５０とは、底面部１０の短辺から連設されている。なお、底面部１０は、長方形状としたが、正方形でもよい。
【００２３】
正面部２０は、下辺よりも上辺が長い台形形状（具体的には、等脚台形の形状）を呈している。正面部２０における上辺には、半円状の切欠部２１が形成されている。
【００２４】
また、糊代部（第１糊代部）２２は、左側面部４０の内側の面の正面側の端部領域に接着され、正面部２０の左側面側の辺部から折れ線２２ａを介して連設され、台形形状を呈している。糊代部２２の正面部２０との間の折れ線２２ａと糊代部２２とつまみ片２６間の折れ線（糊代部２２の上辺）２２ｂ間の角度α１は、左側面部４０の正面側の辺部と左側面部４０の上辺間の角度β１と略同一（丁度同一としてもよい）であり、これにより、糊代部２２が左側面部４０に接着した状態では、糊代部２２とつまみ片２６間の折れ線２２ｂは、左側面部４０とフラップ部４２間の折れ線４０ａと略平行（丁度平行としてもよい）になるように構成されている。
【００２５】
また、つまみ片（第１つまみ片）２６は、糊代部２２の上辺から折れ線２２ｂを介して連設され、略半円状を呈している。つまみ片２６の折れ線２２ｂから折れ線２２ｂに対して直角方向の長さ（最大長さ）Ｐ１は、フラップ部４２の幅Ｑ１（フラップ部４２の左側面部４０側の辺部と該辺部と反対側の辺部間の幅）よりも小さく形成されている。
【００２６】
また、糊代部（第２糊代部）２４は、右側面部５０の内側の面の正面側の端部領域に接着され、正面部２０の右側面側の辺部から折れ線を介して連設され、台形形状を呈している。糊代部２４は、糊代部２２と対称（前後方向と鉛直方向に延びた平面を介して面対称、包装箱５の展開状態では、線対称）である以外は同様の構成であるので詳しい説明を省略する。糊代部２４が右側面部５０に接着した状態では、糊代部２４とつまみ片２８間の折れ線２４ｂは、右側面部５０とフラップ部５２間の折れ線５０ａと略平行（丁度平行としてもよい）となっている。
【００２７】
また、つまみ片（第２つまみ片）２８は、糊代部２４の上辺から折れ線２４ｂを介して連設され、略半円状を呈している。つまみ片２８は、つまみ片２６と対称（前後方向と鉛直方向に延びた平面を介して面対称、包装箱５の展開状態では、線対称）である以外は同様の構成であるので詳しい説明を省略する。なお、つまみ片２８の折れ線２４ｂから折れ線２４ｂに対して直角方向の長さ（最大長さ）Ｐ２は、フラップ部５２の幅Ｑ２（フラップ部５２の右側面部５０側の辺部と該辺部と反対側の辺部間の幅）よりも小さく形成されている。
【００２８】
背面部３０は、下辺よりも上辺が長い台形形状（具体的には、等脚台形の形状）を呈している。つまり、背面部３０は、切欠部２１が形成されていない点及び正面部２０と対称（左右方向と鉛直方向に延びた平面を介して面対称、包装箱５の展開状態では、線対称）である点以外は同様の構成であるので詳しい説明を省略する。
【００２９】
また、糊代部（第３糊代部）３２は、左側面部４０の内側の面の背面側の端部領域に接着され、背面部３０の左側面側の辺部から折れ線３２ａを介して連設され、台形形状を呈している。糊代部３２は、糊代部２２と対称（左右方向と鉛直方向に延びた平面を介して面対称、包装箱５の展開状態では、線対称）である以外は同様の構成であるので詳しい説明を省略する。糊代部３２が左側面部４０に接着した状態では、糊代部３２とつまみ片３６間の折れ線３２ｂは、左側面部４０とフラップ部４２間の折れ線４０ａと略平行（丁度平行としてもよい）
また、つまみ片（第３つまみ片、第１特定つまみ片）３６は、糊代部３２の上辺から折れ線３２ｂを介して連設され、略半円状における直線状の辺部に方形状（長方形状）をつなげた形状を呈している。つまみ片３６の折れ線３２ｂから折れ線３２ｂに対して直角方向の長さ（最大長さ）Ｐ３は、フラップ部４２の幅Ｑ１（フラップ部４２の左側面部４０側の辺部と該辺部と反対側の辺部間の幅）よりも大きく形成されている。
【００３０】
また、糊代部（第４糊代部）３４は、右側面部５０の内側の面の背面側の端部領域に接着され、背面部３０の右側面側の辺部から折れ線を介して連設され、台形形状を呈している。糊代部３４は、糊代部３２と対称（前後方向と鉛直方向に延びた平面を介して面対称、包装箱５の展開状態では、線対称）である以外は同様の構成であるので詳しい説明を省略する。糊代部３４が右側面部５０に接着した状態では、糊代部３４とつまみ片３８間の折れ線３４ｂは、右側面部５０とフラップ部５２間の折れ線５０ａと略平行（丁度平行としてもよい）となっている。
【００３１】
また、つまみ片（第４つまみ片、第２特定つまみ片）３８は、糊代部３４の上辺から折れ線３４ｂを介して連設され、略半円状における直線状の辺部に方形状（長方形状）をつなげた形状を呈している。つまみ片３８は、つまみ片３６と対称（前後方向と鉛直方向に延びた平面を介して面対称、包装箱５の展開状態では、線対称）である以外は同様の構成であるので詳しい説明を省略する。なお、つまみ片３８の折れ線３４ｂから折れ線３４ｂに対して直角方向の長さ（最大長さ）Ｐ４は、フラップ部５２の幅Ｑ２（フラップ部５２の右側面部５０側の辺部と該辺部と反対側の辺部間の幅）（この幅Ｑ２は、幅Ｑ１と同一である）よりも大きく形成されている。
【００３２】
なお、つまみ片２６とつまみ片３６は、フラップ部４２とは接着されておらず（つまり、非接着である）、つまみ片２８とつまみ片３８は、フラップ部５２とは接着されていない（つまり、非接着である）。
【００３３】
また、フラップ部（第１フラップ部）４２は、左側面部４０の上辺から折れ線４０ａを介して連設され、先端側にアールが形成された長方形状（細長長方形状、帯状としてもよい）を呈している。なお、折れ線４０ａと折れ線４０ａとは反対側の辺部４０ｂとは平行（略平行としてもよい）に形成されている。
【００３４】
また、フラップ部（第２フラップ部）５２は、右側面部５０の上辺から折れ線５０ａを介して連設され、先端側にアールが形成された長方形状（細長長方形状、帯状としてもよい）を呈している。なお、折れ線５０ａと折れ線５０ａとは反対側の辺部５０ｂとは平行（略平行としてもよい）に形成されている。
【００３５】
また、上面部６０は、方形状（具体的には、長方形状）を呈し、包装箱５の側壁の上端の開口部を閉止する形状と大きさを有している。つまり、上面部６０の背面部３０側の辺部と該辺部と反対側の辺部の長さは、背面部３０の上辺や正面部２０の上辺の長さと略同一（丁度同一としてもよい）であり、上面部６０の左側面側の辺部と右側面側の辺部の長さは、左側面部４０の上辺や右側面部５０の上辺の長さと略同一（丁度同一としてもよい）となっている。
【００３６】
また、差込み片部６２は、台形形状（先端にいくほど幅狭となる台形形状）を呈している。なお、上面部６０と差込み片部６２の境界位置には、略コ字状の切込み６４ａが形成され、この切込み６４ａにより蓋部６４が閉状態の場合に、指を係止するための突状部６０ａが形成される。
【００３７】
なお、糊代部２２とつまみ片２６間の折れ線２２ｂと、糊代部２４とつまみ片２８間の折れ線２４ｂと、糊代部３２とつまみ片３６間の折れ線３２ｂと、糊代部３４とつまみ片３８間の折れ線３４ｂと、左側面部４０とフラップ部４２間の折れ線４０ａと、右側面部５０とフラップ部５２間の折れ線５０ａには、折曲げを容易とするために所定間隔ごとに切込みが形成されている。
【００３８】
また、包装箱５の図３に示す展開状態においては、蓋部６４を除く部分は、左右対称（前後方向の中心線を介して対称）に形成されているとともに、前後対称（左右方向の中心線を介して対称）に形成されている。
【００３９】
また、包装箱５を製函した状態（つまり、製造した直後の状態）は、図１、図２に示すように、つまみ片２６、２８、３６、３８と、フラップ部４２、５２と、上面部６０及び差込み片部６２が立設した状態となっている。つまり、つまみ片２６が糊代部２２と面一であり（つまり、一体の板状を呈している）、つまみ片３６が糊代部３２と面一であり（つまり、一体の板状を呈している）、つまみ片２８が糊代部２４と面一であり（つまり、一体の板状を呈している）、つまみ片３８が糊代部３４と面一である（つまり、一体の板状を呈している）。
【００４０】
また、フラップ部４２が左側面部４０と面一であり（つまり、一体の板状を呈している）、フラップ部５２が右側面部５０と面一である（つまり、一体の板状を呈している）。
【００４１】
また、上面部６０が背面部３０と面一であり（つまり、一体の板状を呈している）、差込み片部６２が上面部６０と面一である（つまり、一体の板状を呈している）。
【００４２】
上記構成の包装箱５の使用状態について説明する。まず、包装箱５に被収納物を収納する。つまり、図１、図２に示す状態の包装箱５に被収納物を収納し、フラップ部４２を左側面部４０に対して内側に折り曲げるとともに、フラップ部５２を右側面部５０に対して内側に折り曲げる。フラップ部４２を内側に折り曲げた際には、つまみ片２６が糊代部２２に対して内側に折り曲げられ、つまみ片３６が糊代部３２に対して内側に折り曲げられ、また、フラップ部５２を内側に折り曲げた際には、つまみ片２８が糊代部２４に対して内側に折り曲げられ、つまみ片３８が糊代部３４に対して内側に折り曲げられる。つまり、図５には被収納物は描かれていないが、包装箱５の状態としては図５に示すようになる。
【００４３】
その後、上面部６０を背面部３０に対して内側に折り曲げ、さらに、差込み片部６２を上面部６０に対して内側に折り曲げて、差込み片部６２を正面部２０の内側に差し込んで、蓋部６４を閉状態として図４に示すように包装した状態とする。
【００４４】
なお、図１、図２に示す状態では、つまみ片２６、２８、３６、３８が立設した状態となっているので、被収納物を収納する際につまみ片２６、２８、３６、３８が邪魔になることがない。
【００４５】
次に、蓋部６４を開状態として、被収納物を取り出した状態は図５に示す状態となり、つまみ片２６、２８、３６、３８と、フラップ部４２、５２は内側に折り曲げられた状態となっている。
【００４６】
このように、図５のように、つまみ片２６、２８、３６、３８と、フラップ部４２、５２は内側に折り曲げられた状態では、つまみ片３６の長さＰ３は、フラップ部４２の幅Ｑ１よりも大きいので、図５に示すように、つまみ片３６はフラップ部４２の先端から突出し、つまみ片２６、２８、３６、３８と、フラップ部４２、５２が内側に折り曲げられた状態でも、つまみ片３６を発見しやすい。同様に、つまみ片２６、２８、３６、３８と、フラップ部４２、５２は内側に折り曲げられた状態では、つまみ片３８の長さＰ４は、フラップ部５２の幅Ｑ２よりも大きいので、図５に示すように、つまみ片３８はフラップ部５２の先端から突出し、つまみ片２６、２８、３６、３８と、フラップ部４２、５２が内側に折り曲げられた状態でも、つまみ片３８を発見しやすい。
【００４７】
なお、つまみ片２６の長さＰ１はフラップ部４２の幅Ｑ１よりも小さく、つまみ片２８の長さＰ２はフラップ部５２の幅Ｑ２よりも小さいので、図５のように、つまみ片２６、２８、３６、３８と、フラップ部４２、５２は内側に折り曲げられた状態では、つまみ片２６はフラップ部４２に覆われて隠れた状態であり、つまみ片２８はフラップ部５２に覆われて隠れた状態である。
【００４８】
そして、包装箱５を解体する場合には、図６に示すように、フラップ部４２、５２の先端を上方に回動させてフラップ部４２、５２を立設した状態とすると、つまみ片２６、２８、３６、３８の全体が出現するので、つまみ片２６、２８、３６、３８を引っぱることにより糊代部２２、２４、３２、３４を剥がすことができる。つまり、つまみ片２６を左側面部４０に対して引っぱることにより糊代部２２を左側面部４０から剥がすことができ、つまみ片３６を左側面部４０に対して引っぱることにより糊代部３２を左側面部４０から剥がすことができ、つまみ片２８を右側面部５０に対して引っぱることにより糊代部２４を右側面部５０から剥がすことができ、つまみ片３８を右側面部５０に対して引っぱることにより糊代部３４を右側面部５０から剥がすことができる。
【００４９】
糊代部２２、２４、３２、３４を剥がすと、図３に示すように、包装箱５を展開状態にできるので、容易に廃棄を行なうことができる。
【００５０】
以上のように、本実施例の包装箱５によれば、つまみ片２６、２８、３６、３８が設けられ、つまみ片２６、２８、３６、３８を引っぱることにより容易に糊代部２２、２４、３２、３４を剥がすことができるので、高齢者のように手の力が弱い者でも容易に糊代部２２、２４、３２、３４を剥がすことができる。
【００５１】
特に、側壁を構成する各部（正面部、背面部、左側面部、右側面部）が台形形状を呈するトレー状の包装箱の場合には、糊代部を剥がさないと解体は困難であるので、容易に糊代部２２、２４、３２、３４を剥がすことにより包装箱５を容易に解体することができる。
【００５２】
また、図５のように、つまみ片２６、２８、３６、３８と、フラップ部４２、５２が内側に折り曲げられた状態でも、つまみ片３６はフラップ部４２から突出するとともに、つまみ片３８はフラップ部５２の先端から突出し、つまみ片３６、３８を発見しやすいので、使用者に解体のための機能を知らしめ解体の機会を十分与えることができる。
【００５３】
なお、上記の構成において、つまみ片２６の長さＰ１はフラップ部４２の幅Ｑ１よりも小さく、つまみ片２８の長さＰ２はフラップ部５２の幅Ｑ２よりも小さいとして説明したが、つまみ片３６、３８と同様に、つまみ片２６の長さＰ１をフラップ部４２の幅Ｑ１よりも大きくし、つまみ片２８の長さＰ２をフラップ部５２の幅Ｑ２よりも大きくして、つまみ片２６、２８、３６、３８と、フラップ部４２、５２が内側に折り曲げられた状態でも、つまみ片２６がフラップ部４２の先端から突出するとともに、つまみ片２８がフラップ部５２の先端から突出して、つまみ片２６、２８を発見しやすくしてもよい。これにより、４つのつまみ片があることを容易に知らしめることができる。この場合には、つまみ片２６とつまみ片３６が第１特定つまみ片となり、つまみ片２８とつまみ片３８とが第２特定つまみ片となる。
【００５４】
また、上記の実施例において、つまみ片２６の構成とつまみ片３６の構成とを逆にして、つまみ片２６がフラップ部４２の先端から突出し、つまみ片２８の構成とつまみ片３８の構成とを逆にして、つまみ片２８がフラップ部５２の先端から突出するようにしてもよい。
【００５５】
また、つまみ片２６、２８の形状は略半円状であり、つまみ片３６、３８の形状は略半円状における直線状の辺部に方形状（長方形状）をつなげた形状であるとしたが、他の形状であってもよい。
【符号の説明】
【００５６】
５  包装箱
１０  底面部
２０  正面部
２２、２４、３２、３４  糊代部
２６、２８、３６、３８  つまみ片
３０  背面部
４０  左側面部
４２、５２  フラップ部
５０  右側面部
６０  上面部
６２  差込み片部
６４  蓋部
【図１】
0003166241.tif 000003
【図２】
0003166241.tif 000004
【図３】
0003166241.tif 000005
【図４】
0003166241.tif 000006
【図５】
0003166241.tif 000007
【図６】
0003166241.tif 000008